(57)【要約】【課題】表示部に複数個の個別のＬＥＤを点灯させるＬＥＤ駆動回路において、ＬＥＤ点灯時の消費電流を、最大でおよそ半減させることのできるＬＥＤ駆動回路を実現する。【解決手段】同時点灯用駆動トランジスタ４１、ＬＥＤ２１の個別点灯用駆動トランジスタ４３、ＬＥＤ２２個別点灯駆動用トランジスタ４２、４４をマイコンで制御し、抵抗６１で決められるＬＥＤ２１を個別点灯時に流れる電流値、及び、抵抗２２で決められるＬＥＤ２２を個別点灯時に流れる電流値に対して、同時点灯時に流れる抵抗６３で決められる電流値を前述と同じ電流値に設定することにより、個別の２個のＬＥＤを２つ同時点灯させる場合でも、１個分の消費電流で駆動できる回路を提供することができ、上手く個別のＬＥＤの２個同時点灯を組み合わせれば、ＬＥＤの点灯電流を最大でおよそ半減する回路を提供することができる。【選択図】図１
2011187678.tif 000002
【特許請求の範囲】
【請求項１】
表示部に複数のＬＥＤを点灯させて動作表示をさせるＬＥＤの駆動回路において、少なくとも２個の個別のＬＥＤを直列に配線し、それぞれのＬＥＤを個別に駆動する回路を備え、複数のＬＥＤのうちの少なくとも２個の個別のＬＥＤを点灯させる場合に、共通の電流で駆動する駆動回路からなり、その少なくとも２個の個別のＬＥＤをマイコンの複数の出力の組合せによって、個別または同時に点灯するように駆動する回路を有し、複数の個別のＬＥＤを点灯させた場合のＬＥＤに消費する総電流を省電流するように構成したＬＥＤ駆動回路。
【請求項２】
少なくとも２個の個別のＬＥＤをマイコンにより３つの出力の組合せで、個別及び同時に点灯するよう駆動する回路で構成した請求項１記載のＬＥＤ駆動回路。
【発明の詳細な説明】
【技術分野】
【０００１】
本発明は、ＬＥＤの表示器を有した洗濯機のＬＥＤ駆動回路に関するものである。
【背景技術】
【０００２】
従来、表示器にはＬＥＤが多く使われており、動作状態などの情報を７セグによる数値化や点灯による状態表示が行われてきた。近年、高機能化や視認性の良さから、洗濯機に要求されるＬＥＤによる表示情報は非常に多くなってきている。
【０００３】
図３は一般的な洗濯機の表示器のＬＥＤ駆動部の回路図の一部を示したもので、以下その構成について説明する。
【０００４】
図３は表示素子数が多数の複数個のＬＥＤを駆動する回路のうち、８個の個別ＬＥＤを点灯させる駆動回路で、各ＬＥＤには電流値を決める抵抗並びにマイコン１００の出力によりオン・オフするトランジスタが夫々接続されている。また、各ＬＥＤのアノード側は複数個を共通にして、電圧供給のためのトランジスタＱ１０や同じくトランジスタ１１から駆動電源Ｖｄｄの電圧をマイコン１００の出力によって印加するように接続されている。
【０００５】
以上のように構成された表示器のＬＥＤ駆動回路について、その動作を以下に説明する。
【０００６】
通常、８個の個別ＬＥＤを点灯・消灯させる場合、マイコン１００の出力は８ポート必要になるが、図３に示すようにＬＥＤ１／ＬＥＤ３／ＬＥＤ５／ＬＥＤ７の複数個のＬＥＤのアノード側を共通にして、電源供給用のトランジスタ１０にて印加電圧をマイコン１００の出力にて制御し、また、ＬＥＤ２／ＬＥＤ４／ＬＥＤ６／ＬＥＤ８の他の複数個のＬＥＤのアノード側を共通にして、同様に電源供給用のトランジスタ１１にて印加電圧をマイコンの出力にて制御している。
【０００７】
電源供給するトランジスタ１０及びトランジスタ１１の各々のベースを制御する信号を、時分割してオンのタイミングをずらすことにより、ＬＥＤ１とＬＥＤ２は共通の駆動用トランジスタ１３でタイミングをずらして点灯させることが出来る。但し、その点灯電流は、ＬＥＤ１のオン時に流れるパルス電流に対して、時分割のＤｕｔｙ比を掛けた平均電流で求められる。
【０００８】
同様に、ＬＥＤ３とＬＥＤ４を点灯させる時も、電源供給用のトランジスタ１０及び１１、共通の駆動用トランジスタ１２によりマイコンで制御させてタイミングをずらして点灯させることが出来る。この時分割する繰返し周期をある程度短くすれば、ＬＥＤに流れる電流がパルス電流であっても、その点灯具合は残像によって、連続して点灯しているように見える。
【０００９】
このようにして、マイコン１００で出力８ポート／トランジスタが８個必要なところを、時分割制御することにより、個別のＬＥＤを駆動するために必要なマイコンのポート数並びに駆動用のトランジスタ数を削減した駆動回路で、ＬＥＤによる表示を行っている。
【先行技術文献】
【特許文献】
【００１０】
【特許文献１】特開昭５９−７１０号公報
【発明の概要】
【発明が解決しようとする課題】
【００１１】
しかしながら、このような従来の表示器の独立した個別のＬＥＤ駆動回路では、多数のＬＥＤをオンさせる場合、個別のＬＥＤに流す電流に点灯させる個数分をかけた総電流が必要になる。洗濯機の高機能化により表示内容の多様化、ＬＥＤ点灯数の多数化により、一度に多数のＬＥＤを点灯させる場合が増えてきており、結果ＬＥＤに流す総電流が増える一方で、省エネルギー化を追求するための省電流化を図らねばならなくなり相反するという課題があった。
【００１２】
本発明は、上記従来の課題を解決するもので、表示器のＬＥＤ駆動回路において、複数個のＬＥＤに流れる総電流を、最大でおよそ半減させる回路を提供することを目的としている。
【課題を解決するための手段】
【００１３】
本発明は上記目的を達成するために、表示部に複数のＬＥＤを点灯させて動作表示をさせるＬＥＤの駆動回路において、少なくとも２個の個別のＬＥＤを直列に配線し、それぞれのＬＥＤを個別に駆動する回路を備え、複数のＬＥＤのうちの少なくとも２個の個別のＬＥＤを点灯させる場合に、共通の電流で駆動する駆動回路からなり、その少なくとも２個の個別のＬＥＤをマイコンの複数の出力の組合せによって、個別または同時に点灯するように駆動する回路を有し、複数の個別のＬＥＤを点灯させた場合のＬＥＤに消費する総電流を省電流するように構成したものである。
【００１４】
すなわち、ＬＥＤを駆動する回路において、ＬＥＤ駆動電圧（Ｖｄｄ）は、通常、ＬＥＤ駆動を制御するマイコンの印可電圧にほぼ等しく設定されていることが多いが、このＬＥＤ駆動電圧Ｖｄｄに対して、個別のＬＥＤ点灯時の順方向電圧がＶｄｄの半分以下のＬＥＤを任意に少なくとも２個直列に接続して、それらを同時に点灯させる場合には同一の電流が流れ、また夫々のＬＥＤを個別に点灯させる場合でも、同時点灯時と同じ電流で個別に駆動するように回路を構成した表示器を有したＬＥＤ駆動回路である。
【００１５】
これにより、複数個ある個別のＬＥＤを点灯させる場合に、個別のＬＥＤの点灯状態の最も多く点灯する表示状態の中から、個別ＬＥＤを少なくとも２個を同時点灯する組み合わせをした場合、本ＬＥＤ駆動回路を構成することで、そのＬＥＤの総駆動電流は、従来のＬＥＤ駆動電流と点灯数の積による総駆動電流ではなく、同時点灯するＬＥＤに関して、個別点灯分の電流アップを防ぐものである。
【発明の効果】
【００１６】
本発明の表示器のＬＥＤ駆動回路は、少なくとも２個の同時に点灯するＬＥＤを組み合わせたものを複数構成することで、最大組み合わせた組数分のＬＥＤ駆動電流を増加させることなく、省電流でＬＥＤを駆動する回路を実現することができる。
【図面の簡単な説明】
【００１７】
【図１】本発明の実施の形態１の洗濯機のＬＥＤ駆動部の回路図
【図２】本発明の実施の形態２の洗濯機のＬＥＤ駆動部の回路図
【図３】従来の洗濯機のＬＥＤ駆動部の回路図
【発明を実施するための形態】
【００１８】
第１の発明は、表示部に複数のＬＥＤを点灯させて動作表示をさせるＬＥＤの駆動回路において、少なくとも２個の個別のＬＥＤを直列に配線し、それぞれのＬＥＤを個別に駆動する回路を備え、複数のＬＥＤのうちの少なくとも２個の個別のＬＥＤを点灯させる場
合に、共通の電流で駆動する駆動回路からなり、その少なくとも２個の個別のＬＥＤをマイコンの複数の出力の組合せによって、個別または同時に点灯するように駆動する回路を有し、複数の個別のＬＥＤを点灯させた場合のＬＥＤに消費する総電流を省電流するように構成したことを特徴とする。
【００１９】
このような構成では、２個同時に点灯する個別のＬＥＤを直列に接続し、電源供給用のトランジスタにより時分割でＶｄｄを供給する。また、直列に接続された個別ＬＥＤに対して、２個を同時に駆動するトランジスタ、またそれぞれのＬＥＤを個別に駆動するトランジスタで回路構成され、マイコンからは、時分割制御／同時点灯制御／上部配列ＬＥＤ点灯制御／下部配列ＬＥＤ点灯制御の４つの制御により、個別での点灯は無論のこと、同時点灯制御により一灯のみの電流値にて二灯の個別のＬＥＤを同時点灯させることができる。
【００２０】
第２の発明は、上記第１の発明において、少なくとも２個の個別のＬＥＤをマイコンにより３つの出力の組合せで、個別及び同時に点灯するよう駆動する回路で構成したことにより、マイコンからの制御信号を４つの制御信号で行っていたもののうち、同時点灯制御／上部配列ＬＥＤ点灯制御／下部配列ＬＥＤ点灯制御に関しての３つの制御信号の組み合わせを、２つの出力の組み合わせ制御によって同様の駆動が出来るように回路構成し、時分割制御と併せて計３つの制御信号で制御可能にしたものであり、個別点灯／同時点灯制御により一灯のみの電流値にて二灯の個別のＬＥＤを同時点灯させることができる。
【００２１】
以下、本発明の実施の形態について、図面・表を参照しながら説明する。また、この実施の形態によって本発明が限定されるものではない。
【００２２】
（実施の形態１）
図１は本発明の実施の形態１における従来例と同数の８個の個別ＬＥＤを駆動する回路図、表１はマイコン１０１のポートの出力状態に対して、回路構成しているトランジスタのオン・オフの状態と個別のＬＥＤの点灯・消灯の関係を表す表である。
【００２３】
ＬＥＤの点灯する全ての表示状態において、個別のＬＥＤの中でＬＥＤ２１とＬＥＤ２２が同時に点灯する表示状態があるとすると、図１において、ＬＥＤ２１及びＬＥＤ２２を直列に配線し、同時点灯駆動用トランジスタ４１のコレクタに、同時点灯時の電流を決める抵抗６３が接続されている。ＬＥＤ２を個別に駆動するトランジスタ４２のコレクタに、個別点灯時の電流を決める抵抗６２が接続され、他方はＬＥＤ２２のカソード側に接続される。
【００２４】
トランジスタ４２のベース電位は、ＬＥＤ２１とＬＥＤ２２の接続点よりブリーダー抵抗６５及び６６にて印加されており、後述するトランジスタ４４がオンしてＬＥＤ２１のカソード側電位がほぼＶｄｄ（ＬＥＤ駆動用電圧）電位になった時に、トランジスタ４２がオンし、ＶｄｄからＬＥＤ２１の順方向電圧分が降下した電圧ではオンしないような抵抗値に６５及び６６を設定する。ＬＥＤ２１のアノード側にはＰＮＰタイプのトランジスタ４４のエミッタが接続され、コレクタはＬＥＤ２１のカソード側に接続される。ＬＥＤ２１を個別で駆動するトランジスタ４３のコレクタに、個別点灯時の電流を決める抵抗６１が接続され、他方はＬＥＤ２１のカソード側に接続される。ＬＥＤ駆動制御するトランジスタ４１，４２，４３，４４のベースは、夫々抵抗を介してマイコンに接続されて構成している。同様に、仮に同時点灯する状態があるとして、ＬＥＤ２３とＬＥＤ２４、ＬＥＤ２５とＬＥＤ２６、ＬＥＤ２７とＬＥＤ２８を組合せるが、同様のため説明は省略する。
【００２５】
以上のように構成した個別のＬＥＤを駆動する回路について、その動作、作用を説明す
る。
【００２６】
図１に示すように、ＬＥＤを駆動するトランジスタ４１，４２，４３，４４のベースを制御するマイコン１０１の出力ポートをＡ，Ｂ，Ｃ，Ｄとする。表１に、マイコン１０１のポートＡ〜Ｄの出力レベルの組み合わせがすべて網羅されている。これらの出力組み合わせに対して、夫々の駆動トランジスタの動作状態（オン・オフ）が得られ、これによりＬＥＤ２１及びＬＥＤ２２が消灯／個別点灯／同時点灯させることができる。
【００２７】
表１において、マイコン１０１の出力ポートＡ〜ＤのＬおよびＨは、マイコン１０１の出力レベルをあらわし、Ｌ≒ＧＮＤ、Ｈ≒Ｖｄｄとする。
【００２８】
【表１】
2011187678.tif 000003
【００２９】
表１において、Ｎｏ．１／Ｎｏ．２  ／Ｎｏ．４／Ｎｏ．６の四つの組合せ出力だけを定義し、他の組合せは出力しないものとする。このことから、ＬＥＤ２１を個別で点灯させる場合の電流値は、抵抗６１でほぼ決定でき、ＬＥＤ２２を個別で点灯させる場合の電流値は、同様に抵抗６２にてほぼ決定できる。ＬＥＤ２１及びＬＥＤ２２を同時点灯する場合の電流値は、ほぼ抵抗６３で決定でき、抵抗６１及び６２に流れる電流値と同等の電流値になるように抵抗６３の抵抗値を小さくして設定すればよい。
【００３０】
（実施の形態２）
本発明は、同時点灯制御／上部配列ＬＥＤ点灯制御／下部配列点ＬＥＤ灯制御に関して３つの制御信号の組み合わせで制御していたが、従来回路のように個別に点灯する２つのＬＥＤに対して２つの出力で駆動できるようにした方が、マイコンに対して増加の出力ピンを必要とせず、従来と同様のマイコンで構成できる。
【００３１】
そこで、図２に示すマイコン１０１の出力Ｂ，Ｃの２つの出力の組み合わせ制御によって同様の駆動が出来るように回路構成し、時分割制御Ａと併せて計３つの制御信号で制御可能にした。ＬＥＤ３１とＬＥＤ３２を同時点灯させる場合、マイコン出力Ｂ及びＣに対して駆動させるトランジスタ４１ｂ及び４１ｃをＡＮＤ構成になるように接続した。ＬＥＤ３１を個別点灯する場合は、同様に駆動トランジスタ４３をオンさせ、ＬＥＤ３２を個別点灯する場合は、同様に駆動トランジスタ４４をオンさせ、かつ駆動トランジスタ４２
をオンさせて点灯させている。駆動用トランジスタ４２，４３，４４を不要な組み合わせ時にオンさせないようにトランジスタ４６〜４９を構成した。
【００３２】
以上のように構成したＬＥＤを駆動する回路について、その動作、作用を説明する。
【００３３】
図２に示すように、ＬＥＤを駆動するトランジスタ４１ｂ，４１ｃ，４２，４３のベースを制御するマイコン１０１の出力ポートをＡ，Ｂ，Ｃとする。表２に、マイコン１０１のポートＡ〜Ｃの出力レベルの組み合わせがすべて網羅されている。これらの出力組み合わせに対して、夫々の駆動トランジスタの動作状態（オン・オフ）が得られ、これによりＬＥＤ３１及びＬＥＤ３２が消灯／個別点灯／同時点灯させることが出来る。
【００３４】
表２において、マイコン１０１の出力ポートＡ〜ＤのＬおよびＨは、マイコン１０１の出力レベルをあらわし、Ｌ≒ＧＮＤ、Ｈ≒Ｖｄｄとする。
【００３５】
【表２】
2011187678.tif 000004
【００３６】
表２において、Ｎｏ．１〜Ｎｏ．４の四つの組合せ出力だけを定義し、他の組合せは出力しないものとする。このことから、ＬＥＤ３１を個別で点灯させる場合の電流値は、抵抗６１でほぼ決定でき、ＬＥＤ３２を個別で点灯させる場合の電流値も、同様に抵抗６２にてほぼ決定できる。ＬＥＤ３１及びＬＥＤ３２を同時点灯する場合の電流値は、ほぼ抵抗６３で決定でき、抵抗６１及び６２に流れる電流値と同等の電流値になるように６３の抵抗値を小さくして設定すればよい。
【産業上の利用可能性】
【００３７】
以上のように、本発明にかかるＬＥＤ駆動回路は、ＬＥＤの表示器を有した洗濯機において、ＬＥＤ点灯させる駆動回路は、各ＬＥＤに個別電流を流すだけの駆動回路のみからだけではなく、同時点灯させる任意のＬＥＤを少なくとも二つを組合せて、同一電流で二つの個別のＬＥＤを駆動する回路構成とすることが可能となるので、表示部の省電流化を図るＬＥＤ駆動回路として有用である。
【符号の説明】
【００３８】
２１〜２８  表示用ＬＥＤ
３１〜３８  表示用ＬＥＤ
４１，４１ｂ，４１ｃ，４２〜４９  駆動用トランジスタ
５０，５１  時分割用トランジスタ
６１  ＬＥＤ１の電流設定抵抗
６２  ＬＥＤ２の電流設定抵抗
６３  ＬＥＤ１とＬＥＤ２に共通で流す電流設定抵抗
６５，６６  トランジスタ４２のオン・オフを決定するブリーダー抵抗
７０  ＬＥＤ駆動用電圧
【図１】
2011187678.tif 000005
【図２】
2011187678.tif 000006
【図３】
2011187678.tif 000007